(57)【要約】【課題】歩数の計測精度を向上することができ、小型・軽量化及び低コスト化を図ることのできる１軸腕時計式歩数計を提供すること。【解決手段】本発明の１軸腕時計式歩数計１は、振り子１６ａの振動回数をセンサ基板１７上の配線パターン１７ａの接触回数により歩数を検出する振り子式検出部１６と、該振り子式検出部１６を収容するケース本体６を有して構成される。この場合、振り子式検出部１６は腕装着時の腕方向に対応する重力軸（ｘ軸）と鉛直な水平軸（ｙ軸）に対してセンサ基板１７を下方に配置すると同時にセンサ基板１７の配置ラインの角度が４５度（あるいは±１５度の範囲内）となるようにケース本体６に収容し配設する。【選択図】　　図３
2004054704.tif 000002
【特許請求の範囲】
【請求項１】
振り子の振動回数を接点部の接触回数により検出する腕時計式歩数計において、
前記振り子及び前記接点部とを備えた振り子式検出部と、前記振り子式検出部を収容するケースとを備え、前記振り子式検出部は、腕装着時の腕方向に対応する重力軸と鉛直な水平軸に対して前記接点部を下方に配置すると同時に該接点部の配置ラインの角度が４５度±１５度の範囲内となるように前記ケースに収容し配設したことを特徴とする１軸腕時計式歩数計。
【請求項２】
前記振り子式検出部は、前記接点部の配置ラインの角度が４５度±１５度の範囲内で回動自在に軸支されて前記ケース内に取付けられるとともに、前記範囲内の所定の角度を保持するための保持手段を設けて構成したことを特徴とする請求項１に記載の１軸腕時計式歩数計。
【発明の詳細な説明】
【０００１】
【発明の属する技術分野】
本発明は、振り子検出スイッチを用いて歩数を計測表示可能な腕時計式歩数計に係り、特に一定方向の振動を検知する１軸方式を採用して小型化，低コスト化及び計測性能の向上化を図ることができる１軸腕時計式歩数計に関する。
【０００２】
【従来の技術】
従来より、歩行（走行）時の歩数を計測する歩数計が数多く提案がなされており、そのセンサの構造によって大別すると機械式と電子式の２種類がある。電子式は小型化に適した構造であることから、一般に歩数計には、主に電子式のものが多く採用されている。
【０００３】
電子式歩数計は、振り子検出スイッチを備え、該振り子検出スイッチを用いて歩数を計測表示可能なもので、詳しくは振り子をばねにより重力に抗して上方に付勢しておき、使用者が歩くとその上下振動に伴い振り子が上下方向に振動し、下方への揺動時に接点部（導電部）が接触すると通電して信号を出力し、これを電子回路で電気的に処理して計測し、ＬＣＤ等の表示部によって表示するように構成したものが最も一般的である。
【０００４】
また、前記振り子検出スイッチによる検知方法としては、該振り子検出スイッチにより一定方向の振動を検知するように構成された１軸方式と、該振り子検出スイッチにより常に上下方向の振動を検知するように構成された２軸方式とがある。
【０００５】
ところで、この種の歩数計の構造を大きく分類すると、スラックスやスカートのベルト等を介して腰に装着するタイプと、腕時計タイプとの２種類のものがある。
【０００６】
腰に装着するタイプの歩数計は、上述したように振り子検出スイッチにより一定方向の振動を検知する１軸方式を採用したものが主流である。つまり、歩数計を腰に固定することができるので１軸方式でも精度良く振動を検出し歩数をカウントすることができる。
【０００７】
一方、腕時計タイプの歩数計は、歩行中（走行中）に装着した腕が前後するため、前記１軸方式では振動をうまく検出することができない。このため、この種の歩数計は、従来、振り子検出スイッチにより常に上下方向の振動を検知する２軸方式が採用されていた。
【０００８】
電子式歩数計の先行技術としては、例えば上下逆の姿勢や傾いた場合であっても正確に歩数を計測でき、装着姿勢及び装着箇所の自由度を拡大するとともに安価で消費電力を少なくする目的とした、特願平１１−３１６８１２号公報に記載の歩数計がある。
【０００９】
【発明が解決しようとする課題】
しかしながら、上述した従来の歩数計では、腰に装着するタイプの場合、スラックスやスカートのベルト等を介して腰に歩数計を固定すると、目立ち易く、また衣服で覆ったとしても体裁が悪く、ファッション性を損なってしまう不都合がある。
【００１０】
そこで、上記問題点を解消するために、ファッション性もあり腕に簡単に装着可能な腕時計タイプの歩数計が提案され既に実用化されているが、この種の歩数計は、２軸方式が採用されているため、その構造も繁雑であることから小型・軽量化が困難であり、また、製造コストも高価になってしまうといった問題点があった。
【００１１】
また、前記特願平１１−３１６８１２号公報に記載の従来の歩数計では、スラックスやスカートのベルトに限らず、ポケット、鞄の中など、歩行時に身につけるものや携帯できるものであればいずれのものでも使用可能とする構成となっているが、腕時計タイプの歩数計を構成しているものではなく、また、２軸方式を採用しているため、小型・軽量化が困難で製造コストも高価であるといった不都合があった。
そこで、本発明は上記問題点に鑑みてなされたもので、歩数の計測精度を向上することができ、小型・軽量化及び低コスト化を図ることのできる１軸腕時計式歩数計を提供することを目的とする。
【００１２】
【課題を解決するための手段】
請求項１に記載の発明の１軸腕時計式歩数計は、振り子の振動回数を接点部の接触回数により検出する腕時計式歩数計において、前記振り子及び前記接点部とを備えた振り子式検出部と、前記振り子式検出部を収容するケースとを備え、前記振り子式検出部は、腕装着時の腕方向に対応する重力軸と鉛直な水平軸に対して前記接点部を下方に配置すると同時に該接点部の配置ラインの角度が４５度±１５度の範囲内となるように前記ケースに収容し配設したことを特徴とするものである。
【００１３】
請求項１の発明によれば、前記振り子式検出部を、腕装着時の腕方向に対応する重力軸と鉛直な水平軸に対して前記接点部を下方に配置すると同時に該接点部の配置ラインの角度が４５度±１５度の範囲内となるように前記ケースに収容し配設した構成とすることで、歩数の計測精度を向上することができ、小型・軽量化及び低コスト化を図ることのできる１軸腕時計式歩数計の実現が可能である。
【００１４】
請求項２に記載の発明の１軸腕時計式歩数計は、請求項１に記載の１軸腕時計式歩数計において、前記振り子式検出部は、前記接点部の配置ラインの角度が４５度±１５度の範囲内で回動自在に軸支されて前記ケース内に取付けられるとともに、前記範囲内の所定の角度を保持するための保持手段を設けて構成したことを特徴とするものである。
【００１５】
請求項２の発明によれば、前記請求項１の発明と同様に作用して同様の効果が得られる他に、前記振り子式検出部は、前記接点部の配置ラインの角度が４５度±１５度の範囲内で回動自在に軸支されて前記ケース内に取付けられるとともに、前記範囲内の所定の角度を保持するための保持手段を設けて構成したことにより、さらに使用者の歩行形態に対応する、優れた歩数計測機能を有する１軸腕時計式歩数計の実現が可能である。
【００１６】
【発明の実施の形態】
以下、発明の実施の形態について図面を参照して説明する。
第１の実施の形態：
（構成）
図１乃至図６は本発明に係る１軸腕時計式歩数計の第１の実施の形態を示し、図１は該１軸腕時計式歩数計の主要構成部材を示す分解組立て斜視図、図２は図１に示すケース本体の構成を示す分解斜視図、図３は本実施の形態の特徴となる構成を説明するための配置形態を示す説明図、図４は組立て後のケース本体の構成を示す斜視図、図５は該１軸腕時計式歩数計の振り子感度調整を説明するものでケース本体のアームバネの取付位置調整状態を示す説明図、図６は図２の振り子部の導電ゴムの構成を示す斜視図であり、図６（ａ）は通常使用されている角形状の導電ゴムを示し、図６（ｂ）は接触面に複数の突起形状の凸凹部を設けた導電ゴムを示し、図６（ｃ）は接触面に複数の溝形状の凸凹部を設けた導電ゴムを示している。
【００１７】
本実施の形態の１軸腕時計式歩数計１は、図１に示すように、主にハウジング２，該ハウジング２内に配設される本体ケース６，歩数計測等の各種表示を行う液晶表示部（以下、ＬＣＤと称す）７，本体ケース６等の各種構成部品を下部から覆うとともに、前記ハウジング２に固定される裏蓋５等を備えて構成されている。
【００１８】
ハウジング２は、軽量化に最適な合成樹脂を用いて腕時計タイプの外観を主に形成するもので、内部には円形状の開口が設けられ、この開口の上部には透明なガラス３を有する回転ベゼル４が回転可能に取付けられている。なお、図示はしないがハウジング２の側面側には、セットボタン，リセットボタン、表示切り替えボタン等の各種ボタンが設けられている。
【００１９】
ハウジング２の内部には、図１に示すように、ＬＣＤ７が前記ガラス３に対応するように内側から配され、次いでインターコネクタ８，下部に負極電池接片１０Ａが配されたケース本体６，電池９，正極電池接片１０，裏蓋パッキン１４の順序で積層するように収容した状態で裏蓋５の取付穴５ａを介して止めねじ１５により対応するハウジング２のねじ孔（図示せず）に螺合することにより、該裏蓋５をハウジング２の下部に固定している。
【００２０】
前記ＬＣＤ７は、ケース本体６内の主要電子回路に電気的に接続されており、上記の如く歩数計測等の各種表示を行うものである。このＬＣＤ７は、ハウジング２の内側に配設され、その下部には緩衝剤である例えばゴム形状のインターコネクタ８を介してケース本体６が配されるようになっている。
【００２１】
ケース本体６は、本実施の形態の特徴となる主要構成部材であり、詳細な構成については後述するが、内部に歩数計測するのに必要な振り子式検出部１６や該１軸腕時計式歩数計の各種制御を行う電子回路を有する電子基板（図示せず）等の主要構成部材を内装して構成されている。
【００２２】
このケース本体６の底面は、図示はしないが電池９を位置決め可能な程度に凹部が設けられており、この凹部には前記電子基板と電気的に接続する負極電池接片１０Ａが配設されている。組立て時には、この負極電池接片１０Ａに電池９が配された状態で、絶縁体である２つのインシュレータ１１ａ，１１ｂ，通電接片１２を挟持するように正極電池接片１０の取付穴１０ａを介して止めねじ１３にてケース本体６の底面の取付孔（図示せず）に螺合することにより、該正極電池接片１０を前記ケース本体６の底面に固定している。なお、２つのインシュレータ１１ａ，１１ｂは緩衝剤としての機能も有しており、また通電接片１２は正極電池接片１０とケース本体６内の電子基板とを電気的に接続するものである。
【００２３】
また、裏蓋パッキン１４は、弾性作用を有するゴム部材で構成されたもので、裏蓋５をハウジング２に取付けた際に、水の進入を防止する防水効果を得るものである。
【００２４】
次に、本実施の形態の１軸腕時計式歩数計の特徴となるケース本体６の構成を図２〜図４を参照しながら詳細に説明する。
【００２５】
本実施の形態の１軸腕時計式歩数計１は、歩数の計測精度を向上することができ、小型・軽量化及び低コスト化を図るのに好適な１軸方式を採用して構成されている。
【００２６】
具体的には、ケース本体６は、図２に示すように、円形状の上板６Ａと、主にケース本体６の外観を構成するケース６Ｂと、このケース６Ｂの所定の配置位置に配設された振り子式検出部１６と、センサ基板１７とを備えて構成される。
【００２７】
上板６Ａは、前記振り子式検出部１６を内装した状態でケース６Ｂの上側に取付けられ、図示はしないがこの上板６Ａ上に該１軸腕時計式歩数計の各種制御を行う電子回路等を有する回路基板が装着されるようになっている。
【００２８】
ケース６Ｂは、図２に示すように、前記振り子式検出部１６を内部に保持固定するホルダ部材であり、内部の所定領域には振り子１６ａが回動可能な空間と、中央部に設けられ２軸方式構成時に使用する回転軸受け６ａと、周面内側の一部に設けられた振り子軸６ｂと、該振り子軸６ｂと回転軸受け６ａとの間に介在し、アームバネ調整部１６ｄがスライド可能に配設される取付用部６ｃと、前記振り子１６ａの接点部（導電部）とは逆側の背面部が当接する係合ピン６ｄとを設けて構成されている。
【００２９】
係合ピン６ｄには、図２，図４に示すように円筒形状の弾性部材であるクッションチューブ１８が嵌装されるようになっている。つまり、このクッションチューブ１８には、振り子式検出部１６の振り子１６ａの背面部（図示せず）が当接して上死点で静止することになるが、このクッションチューブ１８を設けたことにより、このときの振り子１６ａの振動やぶれを吸収して、常に安定した回動動作、即ち歩数カウント動作を実行することができるようになっている。
【００３０】
振り子式検出部１６は、前記振り子軸６ｂに振り子軸受け１６ｃを嵌入し装着することにより、該振り子軸６ｂを軸にして振り子１６ａが回動可能となるようにケース６Ｂ内に取付けられる。
【００３１】
この振り子式検出部１６は、真鍮等の材質で板状に形成され、振り子軸６ｂ近傍からアーム形状に延設され先端側が幅広形状の振り子１６ａと、該振り子１６ａの先端側の幅広部分に積層される中板１６ｇ，押え板１６ｆと、振り子１６ａのアーム形状部分の基端部に設けられた振り子軸受け１６ｃを有する筒状の振り子固定パイプ１６ｂと、振り子１６ａの幅広部分の先端側面に設けられた接点部（導電部）である導電ゴム１６ｈと、振り子１６ａの幅広部分上に設けられた図示しない円形状の錘を装着するための第１及び第２の振り子ピン１６ｉ，１６ｊと、該振り子１６ａを常に上方向（係合ピン６ｄ側方向）へと付勢するアームバネ１６ｋとを含んで構成されている。
【００３２】
アームバネ１６ｋは、線形状のばねであり、例えば該アームバネの径が０．１乃至０．１３ｍｍのものが用いられている。また、前記振り子１６ａの先端部の重さが、１．４ｇ乃至１．６ｇとなるように振り子ピン１６ｉ，１６ｊに錘が装着されるようになっている。
【００３３】
また、前記アームバネ１６ｋの基端部が係合するアームバネ調整部１６ｄが振り子１６ａの下側に配されるように、ケース６Ｂの取付用部６ｃにスライド可能に装着されている。
【００３４】
このアームバネ調整部１６ｄは、図２，図４に示すように、ケース６Ｂの所定位置に設けられたガイドネジ１９が摺動可能なガイド溝１６ｎが基端部に設けられ、また中央部分の下端面にはラックギア１６ｅが形成されている。また、前記ガイド溝１６ｎとは逆側の基端部分には、アームバネ１６ｋの基端部を係止する２つの係合部６ｉ，６ｈが並設されている。つまり、アームバネ１６ｋの先端部を上記係合部６ｉ，６ｈのいずれかに係合させることにより、該アームバネ１６ｋの付勢力を簡単に調節することができるようになっている。
【００３５】
また、前記ラックギア１６ｅ近傍のケース６Ｂには、調節孔６ｇ（図５参照）が設けられており、この調節孔６ｇには、該ラックギア１６ｅと係合するピニオン５０ａを先端部に形成された調整治具５０が嵌入されるようになっている。
【００３６】
つまり、本実施の形態では、製造時において、振り子式検出部１６による検出感度調整を容易にし、さらにばらつきを少なくするために、ラックギアとピニオンギアとを採用し、アームバネ１６ｋの固定位置を左右自在に微調整できるように構成されており、また、固定位置を少なくとも２カ所で簡単に取り外し変更可能な構成となっている。これにより、振り子感度調整時において、複数種のアームバネ１６ｋを装着することができ、またこの場合のアームバネ１６ｋの長さ及び線形の違いを容易に吸収することができるので、最適な振り子感度調整を行うことができる。
【００３７】
また、前記振り子１６ａの導電ゴム１６ｈが当接するケース６Ｂの位置には、図４に示すように前記センサ基板１７が配設されている。このセンサ基板１７の上面には前記導電ゴム１６ｈとの接触を検出するための配線パターン１７ａが配されており、前記振り子１６ａの回動に伴い、導電ゴム１６ｈと当接して接触すると、通電してこれを検出し、図示しない回路基板の電子回路へと検出信号を出力するようになっている。
【００３８】
すなわち、ケース本体６においては、振り子１６ａがアームバネ１６ｋにより重力に抗して常に上方（係合ピン６ｄ側方向）に付勢されており、使用者が歩くとその上下振動に伴い振り子１６ａが上下方向（係合ピン６ｄ側方向及びセンサ基板１７側方向）に振動し、下方への揺動時に導電ゴム１６ｈがセンサ基板１７の配線パターン１７ａに接触することにより、上記の如く、該センサ基板１７により図示しない回路基板の電子回路へと出力された検出信号が、該電子回路にて電気的に処理がなされて計測され、図１に示すＬＣＤに計測結果が表示されることになる。
【００３９】
また、本実施の形態においては、例えば１軸腕時計式歩数計１内部の空気が湿気が多い場合を想定すると、この湿気により振り子１６ａの導電ゴム１６ｈがセンサ基板１７の配線パターン１７ａに対して接触した際に貼り付いてしまう虞れが考えられるが、本実施の形態では、これを防止するための改良が成されている。
【００４０】
つまり、通常の導電ゴム１６ｈは、図６（ａ）に示すように接触面が平面形状で構成されたものであるが、例えば図６（ｂ）に示すように、接触面１６Ｌ１が複数の突起形状の凸凹部を設けて凸凹形状（シボともいう）に形成された導電ゴム１６Ｌや、あるいは、図６（ｃ）に示すように接触面１６Ｍ１が複数の溝形状の凸凹部を設けて凸凹形状に形成された導電ゴム１６Ｍを用いることにより、湿気が多い場合でも配線パターン１７ａ上に貼り付くことはなく、確実に電気的接触を行うことができるようになっている。
【００４１】
本実施の形態の１軸腕時計式歩数計１では、上記構成のケース本体６をハウジング２内に固定する際に、図３に示すように、ケース本体６内の振り子１６ａの導電ゴム１６ｈが接触するセンサ基板１７のラインと、重力線を示すｘ軸と鉛直なｙ軸との角度θが４５゜となるように配置し固定したことが特徴である。
【００４２】
この場合、図３に示すように、振り子１６ａの回動軸はケース本体６の上部方向に配されるとともに、該振り子１６ａの先端部がｘ軸方向に回動するように配されることになる。
【００４３】
また、図３に示す状態は、該１軸腕時計式歩数計１を使用者の左手に装着し、重力に沿って真っ直ぐに左手を下ろした状態である。つまり、本実施の形態では、該１軸腕時計式歩数計を使用者の左手に装着することが必須条件となる。
【００４４】
なお、上記配置条件となるように逆向きで各種部品を構成し右手仕様に応じた配置形態とすれば、勿論、右手仕様タイプの１軸腕時計式歩数計を構成することも可能である。
【００４５】
（作用）
次に、図３を参照しながら本実施の形態の１軸腕時計式歩数計１の作用を説明する。
【００４６】
いま、図３に示す状態で使用者の左手に本実施の形態の１軸腕時計式歩数計を装着し、使用者の歩数を計測するものとする。すると、使用者が右足から一歩歩き、該左手を振り上げた場合には、センサ基板１７のラインは、略重力と鉛直な水平ライン上に配されることになる。この場合、振り子１６ａはアームバネ１６ｋの上方への付勢力により、その背面側が係合ピン６ｄに嵌装されたクッションチューブ１８に当接した上死点の位置にある。
【００４７】
その後、左足を一歩踏み出した際に、使用者の左手は後方側に振られ、この左での動きに伴い生じる慣性により、振り子１６ａは振り子軸６ｄを支点として下方向に回動することで、導電ゴム１６ｈがセンサ基板１７の配線パターン１７ａに接触することになる。
【００４８】
こうして、該センサ基板１７は、その接触により導通した検出信号を図示しない回路基板の電子回路へと出力し、該電子回路にて電気的に処理がなされて計測された後、図１に示すＬＣＤに計測結果、すなわち“１”が表示されることになる。
【００４９】
この場合、使用時に湿気が多い場合でも、本実施の形態では、上述したように凸凹形状の導電ゴム１６Ｌ（または導電ゴム１６Ｍ）を用いているので、センサ基板１７の配線パターン１７ａに貼り付くことはなく、確実にカウントすることができる。
【００５０】
また、振り子１６ａが上死点で静止する位置に係合ピン６ｄに嵌装されたクッションチューブ１８が配置されているので、該振り子１６ａの背面部が該クッションチューブ１８に当接することで該振り子１６ａの振動やぶれを吸収して、常に安定した歩数カウント動作を実行することができる。
【００５１】
また、本実施の形態の１軸腕時計式歩数計の製造時に、振り子式検出部１６の検出感度を調整する場合には、図５に示すように、ケース６Ｂの調節孔６ｇに、調整治具５０の先端部に設けられたピニオンギア５０ａを嵌入し、該ピニオンギア５０ａとラックギア１６ｅと係合させた状態で該調整治具５０を適宜回転調整する。これにより、ラックギア１６ｅを介してアームバネ調整部１６ｄは適宜スライド動作することにより、アームバネ１６ｋの付勢力を自在に調整することができ、また、装着されたアームバネ１６ｋの種類（長さや線径）に応じて最適な調整を容易に行うことができる。また、同じアームバネ１６ｋの場合でも、アームバネ１６ｋの先端部を係合部６ｉ，６ｈのいずれかに係合させることにより、該アームバネの１６ｋの付勢力を簡単に調節することができる。
つまり、本実施の形態にでは、製造時において、簡単な調整にて振り子式検出部１６による検出感度調整を行うことができる。
【００５２】
実際に、上記実施の形態の１軸腕時計式歩数計を用いて歩数計測を行い、正規なカウンター及び従来の腰に装着するタイプの歩数計との比較結果が、下記の表１に示されている。なお、表１においては、使用者は一般男子とし、通常歩行及びジョキングとの２つの歩行形態について、各種歩数計を用いて３回の実験を行った。
【００５３】
【表１】
2004054704.tif 000003
上記表１の４５゜の計測結果からもわかるように、使用者が通常歩行、腕を平行まで振った場合のジョキング時、及び腕を大振りにした場合のジョキング時のいずれの場合でも、高精度に歩数計測を行うことができた。
【００５４】
（効果）
したがって、本実施の形態によれば、簡単な構成で歩数の計測精度を向上することができ、小型・軽量化及び低コスト化を図ることのできる１軸腕時計式歩数計を実現することが可能となる。
【００５５】
第２の実施の形態：
ところで、本発明の１軸腕時計式歩数計１は、ケース本体６内の振り子１６ａの導電ゴム１６ｈが接触するセンサ基板１７のラインと、重力線を示すｘ軸と鉛直なｙ軸との角度θが４５゜となるようにケース本体６を配置し固定した構成のみではなく、この角度θ４５゜の±１５゜の範囲内で自在に調節可能に構成することもできる。このような実施の形態を図７乃至図１１に示す。
【００５６】
（構成）
図７乃至図１１は本発明に係る１軸腕時計式歩数計の第２の実施の形態を示し、図７は該１軸腕時計式歩数計の主要構成部材を示す分解組立て斜視図、図８は図７に示す外ケースの構成を示す分解斜視図、図９は図８に示すケース本体の構成を示す分解斜視図、図１０は組立て後のケース本体の構成を示す斜視図、図１１はケース本体の角度調整時を説明するための説明図を示している。なお、図７乃至図１１は、前記第１の実施の形態と同様な構成要素については同一の符号を付して説明を省略し、異なる部分のみを説明する。
【００５７】
本実施の形態では、外ケース２０内において、ケース本体２１内の振り子１６ａの導電ゴム１６ｈが接触するセンサ基板１７のラインと、重力線を示すｘ軸と鉛直なｙ軸との角度θが４５゜の±１５゜の範囲内で自在に調節可能に構成したことが特徴である。
【００５８】
具体的には、図７に示すように、センサ基板１７のラインとｙ軸との角度θが４５゜の±１５゜の範囲内で自在に調節可能とするケース本体２１を有する外ケース２０が設けられている。その他の構成については、前記第１の実施の形態と略同様である。
【００５９】
外ケース２０は、図８に示すように、外ケース板２０Ａと、前記第１の実施の形態と略同様に構成されたケース本体２１と、該ケース本体２１を所定の角度で回転自在に収容し保持するケース２０Ｂと、該ケース２０Ｂ内でケース本体２１の回動を保持固定するブレーキ接片２４と、リング形状の絶縁体及び緩衝剤としての作用を有するインシュレータ２６と、電子回路等を搭載した電気基板２７とで構成されている。
【００６０】
なお、ブレーキ接片２４は、平板形状で鉛直方向に所定の押圧力を有する弾性作用を備えて形成されたもので、左右両端側にはセットピン２５ａ，２５ｂにてケース２０Ｂの底面上にかしめるための取付け孔２４ａ，２４ｂが設けられている。また、中央部分には、ケース本体２１の回転軸を押圧するための押圧部２４ｃが設けられ、かしめ固定した場合には、本実施の形態においては、該押圧部２４ｃにてケース本体２１の回転を抑制する。また、一方の取付け孔２４ｂは長穴形状となっており、セットピン２５ｂとの固定位置を調節することで回転軸への押圧力を調整可能である。
【００６１】
前記外ケース２０の外周の一部には、ケース本体２１が６０度の範囲で回動可能となるような寸法で切り欠き２０ｂが形成されており、この切り欠き２０ｂにはケース本体２１の回転調整用のリブ２１Ｃが配された状態で、且つ、該ケース本体２１の中心軸が外ケース２０の底面及び外ケース板２０Ａに装着される上下ブッシュ２２，２３にて回動自在に軸支された状態で外ケース２０内に収容されるようになっている。
【００６２】
この場合、外ケース２０の内周面には、凸凹面で形成した係合部２０ｅが形成されており、一方、この係合部２０ｅに係合してその回転角度を保持するための突起部２１ｅがケース本体２１の外周の所定カ所に設けられている。すなわち、この突起部２１ｅは、突没自在で且つその弾性作用により常時外周方向に付勢された構成となっており、該突起部２１ｅが設けられていても該ケース本体２１は、外ケース２０内にて自在に回動させることが可能である。
【００６３】
これにより、所定角度でケース本体２１を回動させた場合には、該突起部２１ｅが対応する係合部２０ｅの凹部と係合すると同時にその弾性作用により、ケース本体２１をその角度で確実に保持することができる。
【００６４】
ケース本体２１の構成は、前記第１の実施の形態と略同様な構成ではあるが、該ケース本体２１が外ケース内で回転可能とするために軸センサ２８が設けられ、該軸センサ２８の軸２８ａを介して該ケース本体２１が外ケース２０内に軸支されることになる（図９参照）。
【００６５】
なお、軸センサ２８のセンサ接片２８ｂは、センサ基板１７の配線パターン１７ａと電気的に接続され、該ケース本体２１が回転してもその検出信号を電気基板２７の電子回路へ確実に出力するためのものである。
【００６６】
また、ケース本体２１において、前記第１の実施の形態と同様に、アームバネ調整部１６ｄのガイド溝１６ｎに嵌合されるガイドネジ１９，アームバネ１６ｋの基端部を係止する２つの係合部２１ｉ，２１ｈ，調節孔２１ｇが設けられており、その作用についても前記第１の実施の形態と同様である（図９参照）。
【００６７】
その他の構成、及び作用については前記第１の実施の形態と同様なので説明を省略する。
【００６８】
（作用）
いま、使用者の腕の振り上げ状態に応じて、ケース本体２１内の振り子１６ａの導電ゴム１６ｈが接触するセンサ基板１７のラインと、重力線を示すｘ軸と鉛直なｙ軸との角度θを例えば６０゜に設定して歩数計測を行うものとする。
【００６９】
この場合、外ケース２０において、ケース本体２１のリブ２１Ｃを、図１１に示す状態で回動させることでセンサ基板１７のラインと、ｙ軸との角度θを６０゜に設定し、上記したように突起部２１ｅ及び係合部２０ｅ（図８参照）にてその角度状態が保持される。
【００７０】
このように角度調整した後、前記第１の実施の形態と同様に作用して歩数計測がなされる。
【００７１】
一方、ケース本体２１内の振り子１６ａの導電ゴム１６ｈが接触するセンサ基板１７のラインと、重力線を示すｘ軸と鉛直なｙ軸との角度θを例えば３０゜に設定して歩数計測を行うものとする。
【００７２】
この場合、外ケース２０において、ケース本体２１のリブ２１Ｃを、図１１に示す状態から図中に示す矢印方向に回動させ、該リブ２１Ｃが切り欠き２０ｂの基端部と当接することでセンサ基板１７のラインと、ｙ軸との角度θを３０゜に設定し、上記同様に突起部２１ｅ及び係合部２０ｅ（図８参照）にてその角度状態が保持される。
【００７３】
その後、このように角度調整した後、前記第１の実施の形態と同様に作用して歩数計測がなされる。
【００７４】
なお、使用者の腕の振りの状態に応じて、任意な角度で調整し歩数計測を行うようにしても良い。
【００７５】
実際に、角度θを３０゜，６０゜にそれぞれ設定した場合の１軸腕時計式歩数計を用いて歩数計測を行い、正規なカウンター及び従来の腰に装着するタイプの歩数計との比較結果が、上記表１に示されている。なお、本実施の形態においても、使用者は一般男子とし、通常歩行及びジョキングとの２つの歩行形態について、各種歩数計を用いてそれぞれ３回の実験を行った。
【００７６】
したがって、上記表１の３０゜，６０゜の計測結果からもわかるように、使用者が通常歩行、腕を平行まで振った場合のジョキング時、及び腕を大振りにした場合のジョキング時のいずれの場合でも、前記第１の実施の形態例と同様に高精度に歩数計測を行うことができた。
【００７７】
（効果）
したがって、本実施の形態によれば、前記第１の実施の形態と同様の効果が得られる他に、外ケース２０内において、ケース本体２１内の振り子１６ａの導電ゴム１６ｈが接触するセンサ基板１７のラインと、重力線を示すｘ軸と鉛直なｙ軸との角度θが４５゜の±１５゜の範囲内で自在に調節可能に構成したことにより、簡単な構成で、使用者のニーズに応じた、歩数計測の高精度な１軸腕時計式歩数計を実現することができる。
【００７８】
なお、本発明は、上記第１及び第２の実施の形態に限定されるものではなく、これらの実施の実施の形態の組み合わせや応用も本発明に適用される。
【００７９】
また、前記第２の実施の形態においては、センサ基板１７のラインと、重力線を示すｘ軸と鉛直なｙ軸との角度θが４５゜の±１５゜の範囲内で自在に調節可能に構成したことについて説明したが、これに限定されるものではなく、例えば必要に応じて前記角度θが４５゜の±３０゜の範囲内で自在に調節可能に構成しても良い。
【００８０】
【発明の効果】
以上、説明したように本発明によれば、歩数の計測精度を向上することができ、小型・軽量化及び低コスト化を図ることのできる１軸腕時計式歩数計を提供することが可能となる。
【図面の簡単な説明】
【図１】本発明の１軸腕時計式歩数計の第１の実施の形態を示し、該１軸腕時計式歩数計の主要構成部材を示す分解組立て斜視図。
【図２】図２は図１に示すケース本体の構成を示す分解斜視図。
【図３】本実施の形態の特徴となる構成を説明するための配置形態を示す説明図。
【図４】組立て後のケース本体の構成を示す斜視図。
【図５】１軸腕時計式歩数計の振り子感度調整を説明するものでケース本体のアームバネの取付位置調整状態を示す説明図。
【図６】図２の振り子部の導電ゴムの構成を示す斜視図。
【図７】本発明の１軸腕時計式歩数計の第２の実施の形態を示し、該１軸腕時計式歩数計の主要構成部材を示す分解組立て斜視図。
【図８】図７に示す外ケースの構成を示す分解斜視図。
【図９】図８に示すケース本体の構成を示す分解斜視図。
【図１０】組立て後のケース本体の構成を示す斜視図。
【図１１】本実施の形態のケース本体の角度調整時を説明するための説明図。
【符号の説明】
１…１軸腕時計式歩数計、
２…ハウジング、
３…ガラス、
４…回転ベゼル、
５…裏蓋、
６…ケース本体、
６Ａ…上板、
６Ｂ…ケース、
６ａ…回転軸受け、
６ｂ…振り子軸、
６ｃ…取付用部、
６ｄ…係合ピン、
６ｇ…調整孔、
７…ＬＣＤ、
８…インターコネクタ、
９…電池、
１０…正極電池接片、
１０ａ…取付穴、
１０Ａ…負極電池接片
１１ａ，１１ｂ…インシュレータ、
１２…通電接片、
１３，１５…止めねじ、
１４…裏蓋パッキン、
１６…振り子式検出部、
１６ａ…振り子、
１６ｂ…振り子固定パイプ、
１６ｃ…振り子軸受け、
１６ｄ…アームバネ調整部、
１６ｅ…ラックギア、
１６ｆ…押え板、
１６ｇ…中板、
１６ｈ…導電ゴム、
１６ｉ，１６ｊ…振り子ピン、
１６ｋ…アームバネ、
１６Ｌ，１６Ｍ…導電ゴム（凸凹面形状）、
１６ｎ…ガイド溝、
１７…センサ基板、
１７ａ…配線パターン、
１８…クッションチューブ、
１９…ガイドネジ、
２０…外ケース、
２１…ケース本体、
２１Ｃ…リブ、
５０…調整治具、
５０ａ…ピニオンギア。
【図１】
2004054704.tif 000004
【図２】
2004054704.tif 000005
【図３】
2004054704.tif 000006
【図４】
2004054704.tif 000007
【図５】
2004054704.tif 000008
【図６】
2004054704.tif 000009
【図７】
2004054704.tif 000010
【図８】
2004054704.tif 000011
【図９】
2004054704.tif 000012
【図１０】
2004054704.tif 000013
【図１１】
2004054704.tif 000014